(57)【要約】【課題】  携帯端末機のメモリ表示装置及び方法を提供する。【解決手段】  メモリが挿入されたときに、該メモリの挿入を使用者に知らせ、メモリが引き出されたときに、該メモリの取り出しを使用者に知らせる。また、該メモリの認証結果も使用者に知らせる。【選択図】  図２
2005198309.tif 000002
【特許請求の範囲】
【請求項１】
携帯端末機のメモリ表示方法であって、
メモリが挿入されるときに、該メモリの挿入を知らせるステップと、
前記メモリが取り出されるときに、該メモリの取り出しを知らせるステップと、
を備えることを特徴とする方法。
【請求項２】
前記挿入されたメモリが使用中のときに、前記使用者に前記メモリが使用中であることを知らせるステップをさらに備えることを特徴とする請求項１に記載の方法。
【請求項３】
携帯端末機のメモリ表示方法であって、
前記メモリが挿入されたときに、該メモリが使用者のメモリであるか否か判断するステップと、
前記メモリが使用者のメモリであれば、該メモリが認証されたことを前記使用者に知らせるステップと、
前記メモリが取り出されるときに、該メモリの取り出しを前記使用者に知らせるステップと、
を備えることを特徴とする方法。
【請求項４】
前記メモリが使用者のメモリでなければ、該メモリが認証されなかったことを前記使用者に知らせるステップをさらに備えることを特徴とする請求項３に記載の方法。
【請求項５】
携帯端末機のメモリ表示方法であって、
メモリが挿入されるときに、該メモリを認証するステップと、
前記メモリが使用者のメモリであれば、該メモリが認証されたことを、前記携帯端末機の使用者に知らせ、前記メモリが前記使用者のメモリでなければ、該メモリが認証されなかったことを、前記使用者に知らせるステップと、
前記メモリが取り出されるときに、該メモリの取り出しを前記使用者に知らせるステップと、
を備えることを特徴とする方法。
【請求項６】
前記メモリが使用者のメモリであれは、前記使用者に前記メモリのシーケンス番号を知らせるステップをさらに備えることを特徴とする請求項５に記載の方法。
【請求項７】
前記メモリ認証ステップが、
前記挿入されたメモリにＩＤ(Identifier)が存在するか否かを判断するステップと、
前記メモリにＩＤが存在すると、該メモリのＩＤが使用者のＩＤと一致するか判断するステップと、
前記メモリのＩＤが使用者のＩＤと一致すれば、前記挿入されたメモリを使用者のメモリとして判断するステップと、
前記メモリのＩＤが使用者のＩＤと一致しなければ、前記挿入されたメモリが使用者のメモリでないと判断するステップと、
を備えることを特徴とする請求項５に記載の方法。
【請求項８】
前記挿入されたメモリを使用者のメモリとして判断するときに、該メモリのシーケンス番号を判断するステップをさらに備えることを特徴とする請求項７に記載の方法。
【請求項９】
前記挿入されたメモリにＩＤが存在しなければ、該メモリをフォーマットされたメモリとして判断するステップと、
前記挿入されたメモリに使用者のＩＤを登録するステップと、
を備えることを特徴とする請求項５に記載の方法。
【請求項１０】
携帯端末機のメモリ表示装置であって、
命令入力を遂行するためのキー入力部と、
プログラムを格納するための内部メモリと、
前記携帯端末機に外部メモリが挿入されるときに、該外部メモリの挿入を知らせ、前記外部メモリが取り出されるときに、該外部メモリの取り出しを知らせるための制御部と、
を備えることを特徴とする装置。
【請求項１１】
前記制御部は、前記挿入された外部メモリが使用中であれば、前記使用者に前記外部メモリが使用中であることを知らせる機能をさらに遂行することを特徴とする請求項１０に記載の装置。
【請求項１２】
前記制御部は、外部メモリが挿入されるときに、該外部メモリが前記携帯電話機使用者のメモリであるか判断し、該外部メモリが使用者のメモリであれば、該メモリが認証されたことを知らせ、前記外部メモリが取り出されるときに、該外部メモリの取り出しを知らせる機能をさらに遂行することを特徴とする請求項１０に記載の装置。
【発明の詳細な説明】
【技術分野】
【０００１】
本発明は、携帯端末機のメモリに関し、特に、携帯端末機にメモリの挿入または取り出しを知らせ、携帯端末機の挿入されたメモリを認証し、この認証結果を知らせる装置及び方法に関する。
【背景技術】
【０００２】
携帯端末機の急速な普及に伴い、単なる通話機能の外に、多種多様な機能が付加された複合的な携帯端末機が開発され、使用者の欲求を充足させてきた。また、無線網の開発、無線ネットワークの急激な進化、高級型端末機の拡散等によって、多様でダイナミックなコンテンツが供給されることにもなった。このような環境変化に応え得る大容量コンテンツの要求から、メモリ及びデータ通信料が、供給者及び使用者にとって重要な問題となっっている。
【０００３】
そのような大容量コンテンツの要求に応じて、最近の携帯端末機には、内部メモリに加えて、挿入及び取り出しが可能な外部メモリをさらに使用している。しかしながら、既存の携帯端末機では、外部メモリの挿入及び取り出しを知らせる情報がないため、使用者は、外部メモリが引き出された場合にも、これを認知できず、この外部メモリを使用しようと試みる。また、使用者は、自分の携帯端末機に他人の外部メモリが挿入された場合に、自分の外部メモリは取り出され、他人の外部メモリ(すなわち、認証されない外部メモリ)が挿入された事実に直ぐ気づかない、という問題点があった。
【発明の開示】
【発明が解決しようとする課題】
【０００４】
上記事情に鑑みて、本発明の目的は、携帯端末機でメモリの挿入または取り出しを知らせる装置及び方法を提供することにある。
本発明の他の目的は、携帯端末機に挿入されたメモリの認証を通じて、このメモリが携帯端末機使用者のメモリか、あるいは、他人のメモリかを知らせる装置及び方法を提供することにある。
【課題を解決するための手段】
【０００５】
上記目的を達成すべく、本発明による携帯端末機のメモリ表示方法は、メモリが挿入されるときに、該メモリの挿入を知らせるステップと、前記メモリが取り出されるときに、該メモリの取り出しを知らせるステップと、を備えることを特徴とする。
また、上記目的を達成すべく、本発明による携帯端末機のメモリ表示方法は、メモリが挿入されたときに、該メモリが使用者のメモリであるか否か判断するステップと、前記メモリが使用者のメモリであれば、該メモリが認証されたことを前記使用者に知らせるステップと、前記メモリが取り出されるときに、該メモリの取り出しを前記使用者に知らせるステップと、を備えることを特徴とする。
【０００６】
また、上記目的を達成すべく、本発明による携帯端末機のメモリ表示方法は、メモリが挿入されるときに、該メモリを認証するステップと、前記メモリが使用者のメモリであれば、該メモリが認証されたことを、前記携帯端末機の使用者に知らせ、前記メモリが前記使用者のメモリでなければ、該メモリが認証されなかったことを、前記使用者に知らせるステップと、前記メモリが取り出されるときに、該メモリの取り出しを前記使用者に知らせるステップと、を備えることを特徴とする
【発明の効果】
【０００７】
したがって、本発明は、携帯端末機でメモリの挿入または取り出しを表示することによって、携帯端末機の使用者にメモリの存在有無を便利に知らせることが可能になる。
また、本発明によれば、携帯端末機にメモリが挿入されるときに、該挿入されたメモリを認証し、この認証結果を使用者に知らせるため、他人のメモリが挿入された場合に、これを使用者が直ちに認知することが可能になる。
【発明を実施するための最良の形態】
【０００８】
以下、本発明の好ましい実施形態を、添付図面を参照しつつ詳細に説明する。図面中、同一の構成要素には、可能な限り同一の参照符号及び番号を共通使用するものとする。なお、下記説明において、本発明の要旨のみを明瞭にするために公知の機能や構成についての詳細な説明は省略する。
【０００９】
以下では、外部メモリの挿入及び取り出しを知らせる装置及び方法、携帯端末機の挿入された外部メモリが、当該携帯端末機の使用者または他人のメモリであることを知らせる装置及び方法の具体例が提供されるが、本発明は、これらの具体例に限定されず、これらの具体例を変形することによっても容易に実現可能であることは、当該技術分野で通常の知識を持つ者にとって明らかである。
【００１０】
図１は、本発明の実施形態に従うカメラ付き携帯端末機の構成を示す図である。
図１を参照すると、ＲＦ(Radio Frequency)部１２３は、携帯端末機の無線通信機能を遂行する。該ＲＦ部１２３は、送信信号の周波数を上昇変換(upconverting)及び増幅するＲＦ送信器(図示せず)と、受信信号を低雑音増幅し、その周波数を下降変換(downconverting)するＲＦ受信器(図示せず)を備える。データ処理部１２０は、送信信号を符号化及び変調する送信器及び受信信号を復調及び復号化する受信器を備える。すなわち、データ処理部１２０は、モデム(ＭＯＤＥＭ)及びコーデック(ＣＯＤＤＥＣ)を有するように構成することができる。ここで、コーデックは、パケットデータを処理するデータコーデックと音声などのオーディオ信号を処理するオーディオコーデックを備える。オーディオ処理部１２５は、データ処理部１２０のオーディオコーデックから出力するオーディオ信号を再生したり、または、マイクから発生したオーディオ信号を、データ処理部１２０のオーディオコーデックに伝送する機能を遂行する。
【００１１】
内部メモリ１３０は、携帯端末機に組み込まれるプログラムメモリ及びデータメモリを有することができる。プログラムメモリは、携帯端末機の一般的な動作を制御するためのプログラム及び本発明の実施形態に従って携帯端末機に外部メモリ１３５の挿入及び取り出しを知らせ、また、携帯端末機に他人のメモリが挿入されたことを知らせるプログラムを格納する。また、データメモリは、プログラム実行中に生成するデータを、一時格納する機能を遂行する。外部メモリ１３５は、携帯端末機に挿入、かつ、携帯端末機から取り出し可能であり、ＭＰ３音楽データ、映像データ及びフォトアルバム等、各種のデータを格納する。外部メモリ１３５が携帯端末機に挿入されると、該携帯端末機の使用者は、外部メモリ１３５に格納されたデータを読み出したり、外部メモリ１３５にデータを格納することが可能になる。
【００１２】
制御部１１０は、携帯端末機の全般的な動作を制御する機能を遂行する。また、制御部１１０は、データ処理部１２０を内蔵することも可能である。また、制御部１１０は、本発明の実施形態に従って、外部メモリ１３５が挿入されると、携帯端末機の使用者に外部メモリ１３５の挿入を知らせる。このときに、制御部１１０が、挿入された外部メモリ１３５を使用者のメモリとして判断すれば、使用者の外部メモリ１３５が挿入されたことを知らせる。一方、挿入された外部メモリ１３５が使用者のメモリでないと判断すれば、制御部１１０は、他人の外部メモリが挿入されたことを使用者に知らせる。
【００１３】
カメラ部(camera module)１４０は、映像データを撮影し、撮影された光信号を電気的信号に変換するカメラセンサーと、該カメラセンサーから撮影されるアナログ映像信号を、デジタルデータに変換する信号処理部と、を備える。ここでは、カメラセンサーをＣＣＤ(Charge Coupled Device)センサーとし、信号処理部は、ＤＳＰ(Digital Signal Processor)で構成することができる。また、カメラセンサー及び信号処理部は、一体型にしても良く、別途構成しても良い。
【００１４】
映像処理部１５０は、カメラ部１４０から出力する映像信号を表示するための画面データを生成する機能を遂行する。映像処理部１５０は、カメラ部１４０から出力する映像信号を、フレーム単位で処理し、該映像フレームデータを、表示部１６０の特性及び大きさに合せて出力する。また、映像処理部１５０は、映像フレームデータを予め設定された方式で圧縮したり、圧縮された映像フレームデータを元の映像フレームデータに復元する機能を遂行する映像コーデックを有する。ここで、映像コーデックは、ＪＰＥＧ(Joint Picture Experts Group)コーデック、ＭＰＥＧ(Moving Picture Experts Group)４コーデック、ウェーブレット(Wavelet)コーデックなどになり得る。映像処理部１５０は、ＯＳＤ(On Screen Display)機能を有するものと仮定し、制御部１１０の制御下で、画面大きさに従ってＯＳＤデータを出力する。
【００１５】
表示部１６０は、映像処理部１５０から出力する映像信号及び制御部１１０から出力する使用者データを表示する。ここで、表示部１６０としては、ＬＣＤ(Liquid Crystal Display)を使用することができ、この場合に、表示部１６０は、ＬＣＤ制御部(LCD controller)、映像データを格納するメモリ及びＬＣＤ素子を備える。該ＬＣＤをタッチスクリーン(touch screen)とすれば、入力部としても機能可能である。また、表示部１６０は、本発明の実施形態に従って、外部メモリ１３５の挿入及び取り出しを知らせるアイコン及びメッセージを表示する。キー入力部１２７は、数字及び文字情報を入力するためのキー及び各種機能を設定するための機能キーを備える。ＬＥＤ(light emitting diode)１７０は、本発明の実施形態によって、外部メモリ１３５の挿入及び取り出しを表示する。
【００１６】
図２は、本発明の実施形態に従う携帯端末機のメモリ挿入または取り出しを表示する動作を示す流れ図であり、図３は、図２のプロセスにおいて、挿入された外部メモリの認証動作を示す流れ図である。また、図４Ａは、外部メモリの取り出し状態を示すディスプレイであり、図４Ｂは、使用者の外部メモリが挿入された状態を示すディスプレイであり、図４Ｃは、他人の外部メモリが挿入された状態を示すディスプレイであり、図４Ｄは、使用者の外部メモリまたは他人の外部メモリの取り出し状態を示すディスプレイである。また、図５は、図２のプロセスおいて、外部メモリの挿入または取り出しを知らせるＬＥＤの発光を示す図である。
【００１７】
以下、本発明の実施形態を、図１乃至図５を参照しつつ詳細に説明する。
図２を参照すると、携帯端末機に外部メモリ１３５が挿入されていない図４Ａのような状態で外部メモリ１３５が挿入されると、制御部１１０は、これをステップＳ２０１で感知し、ステップＳ３００で、挿入されたメモリが、当該携帯端末機の使用者のメモリであるか認証する。図４Ａに示すディスプレイでは、メモリの取り出しを知らせるアイコンを表示することもできる。ステップＳ３００のメモリ認証を、図３を参照して詳細に説明する。図３を参照すると、制御部１１０は、ステップＳ３０１で、挿入されたメモリに固有ＩＤが存在するか否か確認する。このメモリに固有ＩＤが存在しなければ、制御部１１０は、ステップＳ３０２で、挿入されたメモリをフォーマットされた空きメモリとして判断する。その後に、制御部１１０は、ステップＳ３０３で、メモリに格納された使用者の固有ＩＤを、フォーマットされたメモリに入力し格納することによって、フォーマットされたメモリを使用者のメモリとして登録させる。このときに、携帯端末機の使用者は、使用者の新規のメモリを識別しうるシーケンス番号も登録する。すなわち、使用者は、ステップＳ３０２及びステップＳ３０３を通じて複数のメモリを有することができるため、これら複数のメモリを区別するシーケンス番号を入力するわけである。これによって、制御部１１０は、携帯端末機に挿入されたメモリが使用者のメモリであるか判断し、このメモリが使用者のメモリであれば、メモリのシーケンス番号を確認し、これに応じて使用者にメモリの挿入を知らせる。これらメモリのシーケンス番号としては、タイトル、数字またはアイコンが使用される。
【００１８】
一方、ステップＳ３０１で、挿入されたメモリに固有ＩＤが存在するものを判断すれば、制御部１１０は、ステップＳ３０４で、メモリに格納された固有ＩＤが、携帯端末機使用者の固有ＩＤと一致するか否かを判断する。メモリの固有ＩＤが使用者の固有ＩＤと一致すれば、制御部１１０は、ステップＳ３０５で、挿入されたメモリが使用者のメモリであることを認知する。続いて、制御部１１０は、挿入されたメモリのシーケンス番号を確認する。
【００１９】
一方、ステップＳ３０４でメモリの固有ＩＤが使用者の固有ＩＤと一致しなければ、制御部１１０は、ステップＳ３０６で、挿入されたメモリを他人のメモリとして認知する。
【００２０】
図２を参照すると、ステップＳ３０５及びステップＳ２０２で、挿入されたメモリが使用者のメモリであることを感知すると、制御部１１０は、ステップＳ２０３で、図４Ｂに示すように、表示部１６０上にアイコン１６１を表示することによって、外部メモリ１３５の挿入を使用者に知らせる。このアイコンは、他人のメモリ挿入を表示するアイコンと区別つくように、異なる文様やカラーで表示される。または、制御部１１０は、外部メモリ１３５の挿入を知らせるメッセージを表示することもでき、このメッセージと共に、音声メッセージを出力してもいい。また、制御部１１０は、外部メモリ１３５の挿入を知らせるアラームを出力することができる。制御部１１０は、図５に示すように、所定のカラーでＬＥＤ１７０を点灯させることで、外部メモリ１３５の挿入を知らせる。外部メモリ１３５の挿入を知らせた後に、制御部１１０は、メモリのシーケンス番号をタイトル、数字、またはアイコンで使用者に表示する。
【００２１】
また、ステップＳ３０６及びステップＳ２０４で、挿入されたメモリが他人のメモリとして判断されると、制御部１１０は、ステップＳ２０５で、挿入されたメモリが他人のメモリであることを知らせる。すなわち、ステップＳ２０５で、制御部１１０は、図４Ｃに示すように、外部メモリ１３５の挿入を表示するアイコンと区別付くように、それと異なる模様やカラーで、他人のメモリが挿入されたことを知らせるアイコン１６２を表示部１６０上に表示する。また、制御部１１０は、他人のメモリが挿入されることを知らせるメッセージを表示してもよく、このメッセージと共に、音声メッセージを出力して、他人のメモリが挿入されることを知らせても良い。また、制御部１１０は、他人のメモリが挿入されることを知らせるアラームを出力することもできる。また、制御部１１０は、ＬＥＤ １７０を所定のカラーで点灯させることによって、他人のメモリが挿入されることを使用者に知らせることができる。ステップＳ２０３またはステップＳ２０５の後に、メモリが取り出されると、制御部１１０は、ステップＳ２０６でメモリの取り出しを検出し、ステップＳ２０７で、このメモリの取り出しを使用者に知らせる。ステップＳ２０７で制御部１１０は、図４Ｄに示すように、一定時間の間、アイコン１６３を点滅させることで、メモリの取り出しを使用者に知らせ、続いて一定時間が経過すると、アイコン１６３を消灯して図４Ａに示すような状態に転換させる。または、メモリが取り出されたときに、制御部１１０は、アイコン１６３を直接消灯させ、図４Ａの状態に転換させることも可能である。ここで、アイコン１６３は、図４Ａ乃至図４Ｄに表示したアイコン１６３と区別つく模様及びカラーで表示される。また、制御部１１０は、メモリの取り出しを知らせるメッセージを表示することもでき、このメッセージと共に、音声メッセージを出力してメモリの取り出しを知らせることもできる。また、制御部１１０は、メモリの取り出しを知らせるアラームを出力することもできる。また、制御部１１０は、一定時間の間、図５のＬＥＤ １７０を点滅させることで、メモリの取り出しを使用者に知らせる。
【００２２】
外部メモリ１３５が挿入された後に、内部メモリ１３０のデータを、外部メモリ１３５に移したり、外部メモリ１３０にデータを格納したりするなど、外部メモリ１３５が使用中のときに、制御部１１０は、外部メモリ１３５が使用中であることを、アイコン、文字メッセージ及び音声メッセージを単独または組み合わせて表示することによって、使用中の外部メモリ１３５が取り出されることを防止する。にもかかわらず、使用者が、使用中の外部メモリ１３５を取り出すと、警告音または警告メッセージが出力される。
【００２３】
本発明の実施形態では、携帯端末機のフォルダ内面に配置した内部表示部１６０に、メモリ１３５の状態が表示されるが、外部表示部を備えた携帯端末機では、内部表示部１６０だけでなく外部表示部にも、メモリ１３５の挿入または取り出しを表示することができる。また、当該携帯端末機は、外部メモリの挿入または取り出しを知らせる機能を設定及び解除するメニューを備えることができる。このときに、メモリ表示は、アイコンの種類、アイコンカラー、アイコンの点滅有無、アラーム音の種類、メッセージの種類及び音声メッセージの種類を選択して設定すると良い。また、アイコンの点滅時間、メッセージ表示時間及びアラーム音出力時間は、任意に設定すると良い。また、ＬＥＤ １７０の装着位置は、図５に示す位置に限定されず、使用者が確認しやすい位置ならいずれの位置でも可能である。また、ＬＥＤを別途に備えず、携帯端末機で使用しているＬＥＤを使用してもよく、回転装置によって３６０°フォルダ回転が可能な携帯端末機では、その回転装置がＬＥＤの機能を担っても良い。
【００２４】
以上では具体例に上げて本発明を説明してきたが、本発明は、これら具体例に限定されず、本発明の範囲を外れない限り、各種の変形が可能であることは、当該技術分野で通常の知識をもつ者にとっては明らかである。したがって、本発明の範囲は、特許請求の範囲と該範囲と均等なものによって定められるべきである。
【図面の簡単な説明】
【００２５】
【図１】本発明の実施形態に従う携帯端末機の構成を示す図である。
【図２】本発明の実施形態に従う携帯端末機でのメモリの挿入または取り出しを示す流れ図である。
【図３】本発明の実施形態に従う携帯端末機でメモリ認証動作を示す流れ図である。
【図４Ａ】図２に示す動作において、使用者及び他人のメモリ挿入または取り出しを知らせるメッセージを示す図である。
【図４Ｂ】図２に示す動作において、使用者及び他人のメモリ挿入または取り出しを知らせるメッセージを示す図である。
【図４Ｃ】図２に示す動作において、使用者及び他人のメモリ挿入または取り出しを知らせるメッセージを示す図である。
【図４Ｄ】図２に示す動作において、使用者及び他人のメモリ挿入または取り出しを知らせるメッセージを示す図である。
【図５】図２に示す動作において、メモリの挿入または取り出しを知らせる照明を示す図である。
【符号の説明】
【００２６】
１１０      制御部
１２０      データ処理部
１２３      ＲＦ部
１２５      オーディオ処理部
１２７      キー入力部
１３０      内部メモリ
１３５      外部メモリ
１４０      カメラ部
１５０      映像処理部
１６０      表示部
１７０      ＬＥＤ
【図１】
2005198309.tif 000003
【図２】
2005198309.tif 000004
【図３】
2005198309.tif 000005
【図４Ａ】
2005198309.tif 000006
【図４Ｂ】
2005198309.tif 000007
【図４Ｃ】
2005198309.tif 000008
【図４Ｄ】
2005198309.tif 000009
【図５】
2005198309.tif 000010